(57)【要約】      （修正有）【課題】洗いやすいことで、繰り返し使用ができる食材保持具（バーベキュー用の網）を提供する。【解決手段】食材の加熱用調理器具上に設置される食材保持具であって、２本の縦の丸棒材と、３本以上からなる横の丸棒材とで構成される平面格子Ａ（１０１）と、２本の横の丸棒材と、３本以上からなる縦の丸棒材とで構成される平面格子Ｂ（１０２）とを１枚ずつ有し、平面格子Ａと平面格子Ｂとを重ねて略１枚分の厚みとなるよう、分離可能に組み合わせたことを特徴とする。【選択図】図１
0003230244.tif 000002
【実用新案登録請求の範囲】
【請求項１】
食材の加熱用調理器具上に設置される食材保持具であって、２本の縦の丸棒材と、３本以上からなる横の丸棒材と、前記横の丸棒材と、前記縦の丸棒材とを接合する接合部とで構成される平面格子を２枚有し、前記２枚の平面格子を略１枚分の厚みとなるよう、分離可能に組み合わせたことを特徴とする食材保持具。
【請求項２】
前記平面格子の前記接合部は、前記縦の丸棒材と前記横の丸棒材とを略直角に接合したことを特徴とする、請求項１に記載の食材保持具。
【請求項３】
前記平面格子の前記接合部は、前記横の丸棒材の端の側面に前記縦の丸棒材の側面を接合したことを特徴とする、請求項１に記載の食材保持具。
【請求項４】
前記平面格子のうちの１枚は、前記横の丸棒材の３本以上が均等に接合されたことを特徴とする請求項１記載の食材保持具。
【請求項５】
前記平面格子のうちの１枚は、横の丸棒材の長さが、請求項４記載の平面格子の縦の丸棒材の長さよりも縦の丸棒材の直径２本分程度長く、縦の丸棒材の長さは、請求項４記載の平面格子の横の丸棒材の長さよりも縦の丸棒材の直径２本分程度短いことを特徴とする、請求項１記載の食材保持具。
【考案の詳細な説明】
【技術分野】
【０００１】      本考案はアウトドアで使用するバーベキュー網に関する。
【背景技術】
【０００２】  キャンプやバーベキューといった野外活動において、バーベキューグリルや、焚き火台などを使用して調理が行われる。いずれの調理においても燃料は木炭や薪などが用いられ、熱源の上方に食材を保持する食材保持具をセットすることとなる。【０００３】  食材保持具には、細い鉄線を各交点で接続しているバーベキュー網が広く一般的に用いられる。これらのバーベキュー網は、仮に食材を裏返すなどの作業を行っても、食材を落下させることなく、安定的に食材を保持し、無駄なく調理することができる。【０００４】  また、特許文献１に示すような、ステンレス製の棒材を組み合わせたバーベキューグリルもまた、広く一般的に用いられている。これらのバーベキューグリルは前記バーベキュー網と比較して交点の接合部が少ないことから、清掃性もよく、使用後の清潔感や見栄えも保たれることから、多くの場合、繰り返し使用することができる。【０００５】
【先行技術文献】
【特許文献】
【０００６】
【特許文献１】実願２０１４−１１４５
【特許文献２】特許６１６１０９４
【考案の概要】
【考案が解決しようとする課題】
【０００７】  一般的に用いられるバーベキュー網は細い鉄線を各交点で接続していることから、清掃性が悪く、一度使うと焼けあとや油汚れの残存などから、衛生上の問題や見栄えが損なわれ、以後の保管、使用に問題が生じる。このような理由からこれらのバーベキュー網は使い捨てられることが多く、環境的、経済的にも良くないという問題点があった。【０００６】  特許文献１に記載のバーベキューグリルは、棒材の交点が少ないことから、食材を保持するという点に関して、バーベキュー網には劣ることとなり、調理中に棒材間の隙間から食材が落下するリスクが高くなるという問題点があった。【０００７】  また、食材の保持機能を高めつつ、繰り返し使用できる食材保持具として、前述したバーベキューグリルを２枚組み合わせて使用する方法が考えられるが、単純に２枚組み合わせただけでは、安定性が悪いうえ、食材保持具の厚みが厚くなり、コンパクトに収納できないなど利便性が損なわれるという問題があった。【０００８】  特許文献２に記載の炭火焼用の焼き網は、下網と上網が分離可能に積層形成された点で、本件考案に類似する。しかし、複数の凹状の桶部を有する下網と、複数の凹状の桶部を有する上網となっており、コストが高いことと、特に施設が限定された屋外でのバーベキュー等での清掃については、容易ではないという問題があった。【０００９】  また、特許文献３に記載の炭火焼用の焼き網は、両端部が高いアーチ状に形成されていることから、コンパクトに持ち運ぶことができないという問題があった。【００１０】  さらに、特許文献３に記載の炭火焼用の焼き網は、主に円筒の枠内で使用されることを念頭にされているため，バーベキューなどで使用する場合には，ずれが生じる可能性があり，安定性を欠くという問題があった。
【課題を解決するための手段】
【００１１】  本考案は、上記従来の問題点を鑑みなされたものであって、食材を安定的に保持するとともに、清掃性がよく、またコンパクトに収納可能で、安価な食材保持具を提供することを目的とする。
【考案の効果】
【００１２】  本考案は、丸棒材の縦格子を使用し、縦棒と横棒がずれて接続されるため、コストが低く，極めて洗いやすい。
材質について、ステンレス材等を用いることで、耐久性を確保し、洗いやすいことで、繰り返し使用できる。格子を組み合わせることで、細かい具材が落ちることがない。
１枚の一番端の横棒の外側にもう１枚の２枚の縦格子が挟み込むことで、ずれないように組み合わせることができることで、安定的かつコンパクトに収納、使用ができる。
【図面の簡単な説明】
【００１３】
【図１】本発明の実施形態における、食材保持具の斜視図である。
【図２】図１に示す食材保持具の１枚目の平面格子の斜視図である。
【図３】同食材保持具の２枚目の平面格子の斜視図である。
【考案を実施するための形態】
【００１４】  以下、本考案の実施形態を上げて本考案の詳細を説明する。
図１は本考案の実施形態における、食材保持具の斜視図である。食材保持具は２本の縦の丸棒材と、３本以上からなる横の丸棒材と、前記横の丸棒材と、前記縦の丸棒材とを接合する接合部とで構成される平面格子を２枚（１０１、１０２）備えている。
【００１５】  図２は食材保持具の１枚目の平面格子１０１である。１枚目の平面格子１０１は２本の縦の丸棒材１と３本以上からなる横の丸棒材２と、横の丸棒材２と縦の丸棒材１とを接合する接合部３で構成されている。１枚目の平面格子の外形寸法は特に制限されるものではなく、利用シーンや使用人数に合わせてサイズ展開を図ることができる。丸棒材の材質は加熱用調理具の熱に耐えられる素材であれば、特に制限されるものではないが、金属製で耐食性や清掃性に優れたものであることが望ましい。具体的にはＳＵＳ３０４などが挙げられる。また、丸棒材の太さは食材の荷重に耐えられるものであれば、特に制限されるものではないが、強度、重量、収納性などから、直径１．５ｍｍから４ｍｍ程度が望ましい。横の丸棒材２の本数は食材保持具としての機能から３本以上は必要であり、食材が落下を防ぐため丸棒材のピッチは２０ｍｍ以下であることが望ましく、平面格子サイズにあわせて本数を適宜設定できる。縦の丸棒材１と横の丸棒材２の接合方法は加熱用調理具の熱に耐えられる方法であれば、特に制限されるものではないが、例えば、丸棒材にＳＵＳ３０４を使用した場合などはＴＩＧ溶接など強固に接合されるものが望ましい。
【００１６】  図３は食材保持具の２枚目の平面格子１０２である。２枚目の平面格子１０２は２本の横の丸棒材４と３本以上からなる縦の丸棒材５と、横の丸棒材４と縦の丸棒材５とを接合する接合部６で構成されている。２枚目の平面格子１０２は、１枚目の平面格子１０１に組み合わせることから、１枚目の格子１０１の縦寸法（Ｘ１）は２枚目の平面格子１０２の２本の横の丸棒材４の内寸法（Ｙ１）以下にする必要がある。また、２枚目の格子１０２の縦の丸棒材の最も外側の丸棒材７、８のの外寸法（Ｙ２）は，１枚目の格子１０１の縦の丸棒材１の内寸法（Ｘ２）以下にする必要がある。棒材の熱膨張率を考慮したうえで、Ｙ１はＸ１を、Ｙ２はＸ２を超えない範囲で、できるだけ近似値とする必要がある。これらにより、１枚目の平面格子１０１と２枚目の平面格子１０２は組み合わせた際に、互いに縦方向、横方向にずれることなく、また厚みは略１枚の厚みとすることができる。また，食材平面格子単体での清掃性と組み合わせ時のコンパクトさを両立することができる。なお、２枚目の平面格子１０２の丸棒材の材質、太さなどは１枚目の平面格子１０１と同様に特に制限されるものではない。
【符号の説明】１・・・１枚目の横の丸棒材
２・・・１枚目の縦の丸棒材
３・・・１枚目の接合部
４・・・２枚目の横の丸棒材
５・・・２枚目の縦の丸棒材
６・・・２枚目の接合部
７、８・・・２枚目の両端の縦の丸棒材
１０１・・・１枚目の平面格子
１０２・・・２枚目の平面格子
２０１・・・本考案の食材保持具
【図１】
0003230244.tif 000003
【図２】
0003230244.tif 000004
【図３】
0003230244.tif 000005
【手続補正書】
【提出日】令和2年10月15日(2020.10.15)
【手続補正１】
【補正対象書類名】実用新案登録請求の範囲
【補正対象項目名】全文
【補正方法】変更
【補正の内容】
【実用新案登録請求の範囲】
【請求項１】
食材の加熱用調理器具上に設置される食材保持具であって、２本の縦の丸棒材と、３本以上からなる横の丸棒材とで構成される平面格子Ａと、２本の横の丸棒材と、３本以上からなる縦の丸棒材とで構成される平面格子Ｂとを１枚ずつ有し、前記平面格子Ａと前記平面格子Ｂとを重ねて略１枚分の厚みとなるよう、分離可能に組み合わせたことを特徴とする食材保持具。
【請求項２】
前記平面格子Ａおよび平面格子Ｂは、いずれも縦の丸棒材と、横の丸棒材とを接合する接合部を有し、前記接合部は、縦の丸棒材と横の丸棒材とを略直角に接合したことを特徴とする、請求項１に記載の食材保持具。
【請求項３】
前記平面格子Ａの前記接合部は、横の丸棒材の略端の側面に縦の丸棒材の側面を接合し、前記平面格子Ｂの前記接合部は、縦の丸棒材の略端の側面に横の丸棒材の側面を接合したことを特徴とする、請求項１に記載の食材保持具。
【請求項４】
前記平面格子Ａの横の丸棒材の３本以上が、均等に接合するか、または前記平面格子Ｂの縦の丸棒材の３本以上が、均等に接合したことを特徴とする、請求項１記載の食材保持具。
【請求項５】
前記平面格子Ａの縦の丸棒材の内側の寸法は、前記平面格子Ｂの両端の縦の丸棒材の外側寸法より長く、かつ前記平面格子Ａの両端の横の丸棒材の外側の寸法は、前記平面格子Ｂの横の丸棒材の内側の寸法よりも短くしたことを特徴とする、請求項１記載の食材保持具。
【手続補正２】
【補正対象書類名】明細書
【補正対象項目名】全文
【補正方法】変更
【補正の内容】
【考案の詳細な説明】
【技術分野】
【０００１】      本考案はアウトドアで使用するバーベキュー網に関する。
【背景技術】
【０００２】  キャンプやバーベキューといった野外活動において、バーベキューグリルや、焚き火台などを使用して調理が行われる。いずれの調理においても燃料は木炭や薪などが用いられ、熱源の上方に食材を保持する食材保持具をセットすることとなる。【０００３】  食材保持具には、細い鉄線を各交点で接続しているバーベキュー網が広く一般的に用いられる。これらのバーベキュー網は、仮に食材を裏返すなどの作業を行っても、食材を落下させることなく、安定的に食材を保持し、無駄なく調理することができる。【０００４】  特許文献１に示すような、ステンレス製の棒材を組み合わせたバーベキューグリルもまた、広く一般的に用いられている。これらのバーベキューグリルは前記バーベキュー網と比較して交点の接合部が少ないことから、清掃性もよく、使用後の清潔感や見栄えも保たれることから、多くの場合、繰り返し使用することができる。【０００５】
【先行技術文献】
【特許文献】
【０００６】
【特許文献１】実願２０１４−１１４５
【特許文献２】特許６１６１０９４
【考案の概要】
【考案が解決しようとする課題】
【０００７】  一般的に用いられるバーベキュー網は細い鉄線を各交点で接続していることから、清掃性が悪く、一度使うと焼けあとや油汚れの残存などから、衛生上の問題や見栄えが損なわれ、以後の保管、使用に問題が生じる。このような理由からこれらのバーベキュー網は使い捨てられることが多く、環境的、経済的にも良くないという問題点があった。【０００８】  特許文献１に記載のバーベキューグリルは、棒材の交点が少ないことから、食材を保持するという点に関して、バーベキュー網には劣ることとなり、調理中に棒材間の隙間から食材が落下するリスクが高くなるという問題点があった。【０００９】  食材の保持機能を高めつつ、繰り返し使用できる食材保持具として、前述したバーベキューグリルを２枚組み合わせて使用する方法が考えられるが、単純に２枚組み合わせただけでは、安定性が悪いうえ、食材保持具の厚みが厚くなり、コンパクトに収納できないなど利便性が損なわれるという問題があった。【００１０】  特許文献２に記載の炭火焼用の焼き網は、下網と上網が分離可能に積層形成された点で、本件考案に類似する。しかし、複数の凹状の桶部を有する下網と、複数の凹状の桶部を有する上網となっており、コストが高いことと、特に施設が限定された屋外でのバーベキュー等での清掃については、容易ではないという問題があった。【００１１】特許文献２に記載の炭火焼用の焼き網は、アーチ状に形成されていることから、コンパクトに持ち運ぶことができないという問題があった。【００１２】特許文献２に記載の炭火焼用の焼き網は、主に円筒の枠内で使用されることを念頭にされているため，バーベキューなどで使用する場合には，ずれが生じる可能性があり，安定性を欠くという問題があった。【００１３】  本考案は、上記従来の問題点を鑑みなされたものであって、食材を安定的に保持するとともに、清掃性がよく、またコンパクトに収納可能で、安価な食材保持具を提供することを目的とする。
【課題を解決するための手段】
【００１４】食材の加熱用調理器具上に設置される食材保持具であって、２本の縦の丸棒材と、３本以上からなる横の丸棒材とで構成される平面格子Ａと、２本の横の丸棒材と、３本以上からなる縦の丸棒材とで構成される平面格子Ｂとを１枚ずつ有し、前記平面格子Ａと前記平面格子Ｂとを重ねて略１枚分の厚みとなるよう、分離可能に組み合わせることを可能として、安価で食材を安定的に保持しかつ清掃性を確保すること可能とする。【００１５】平面格子Ａおよび平面格子Ｂは、縦の丸棒材と、前記横の丸棒材とを接合する接合部を有し、前記接合部は、前記縦の丸棒材と前記横の丸棒材とを略直角に接合することで、最低限の材料で安定的に食材を保持することを可能とする。【００１６】  前記平面格子Ａの前記接合部は、横の丸棒材の略端の側面に縦の丸棒材の側面を接合し、前記平面格子Ｂの前記接合部は、縦の丸棒材の略端の側面に横の丸棒材の側面を接合することで、容易かつ安価に製造することを可能とする。【００１７】  前記平面格子Ａの横の丸棒材の３本以上が、均等に接合するか、または前記平面格子Ｂの縦の丸棒材の３本以上が、均等に接合することで、最低限の材料で安定的に食材を保持することを可能とする。【００１８】平面格子Ａの縦の丸棒材の内側の寸法を、平面格子Ｂの両端の縦の丸棒材の外側寸法より長く、かつ平面格子Ａの両端の横の丸棒材の外側の寸法を、平面格子Ｂの横の丸棒材の内側の寸法よりも短くすることで、平面格子を組み合わせた際の、安定的な使用を可能とする。
【考案の効果】
【００１９】  本考案は、丸棒材の縦格子を使用し、縦棒と横棒がずれて接続されるため、コストが低く，極めて洗いやすい。
材質について、ステンレス材等を用いることで、耐久性を確保し、洗いやすいことで、繰り返し使用できる。格子を組み合わせることで、細かい具材が落ちることがない。
１枚の一番端の横棒の外側にもう１枚の２枚の縦格子が挟み込むことで、ずれないように組み合わせることができることで、安定的かつコンパクトに収納、使用ができる。
【図面の簡単な説明】
【００２０】
【図１】本発明の実施形態における、食材保持具の斜視図である。
【図２】図１に示す食材保持具の平面格子Ａの斜視図である。
【図３】同食材保持具の平面格子Ｂの斜視図である。
【考案を実施するための形態】
【００２１】  以下、本考案の実施形態を上げて本考案の詳細を説明する。
図１は本考案の実施形態における、食材保持具の斜視図である。食材保持具は、２本の縦の丸棒材と、３本以上からなる横の丸棒材から構成される平面格子Ａと、２本の横の丸棒材と、３本以上からなる縦の丸棒材とで構成される平面格子Ｂを（１０１、１０２）備えている。
【００２２】  図２は食材保持具の平面格子Ａ１０１である。平面格子Ａ１０１は２本の縦の丸棒材１と３本以上からなる横の丸棒材２と、横の丸棒材２と縦の丸棒材１とを接合する接合部３で構成されている。平面格子Ａの外形寸法は特に制限されるものではなく、利用シーンや使用人数に合わせてサイズ展開を図ることができる。丸棒材の材質は加熱用調理具の熱に耐えられる素材であれば、特に制限されるものではないが、金属製で耐食性や清掃性に優れたものであることが望ましい。具体的にはＳＵＳ３０４などが挙げられる。また、丸棒材の太さは食材の荷重に耐えられるものであれば、特に制限されるものではないが、強度、重量、収納性などから、直径１．５ｍｍから４ｍｍ程度が望ましい。横の丸棒材２の本数は食材保持具としての機能から３本以上は必要であり、食材の落下を防ぐため丸棒材のピッチは２０ｍｍ以下であることが望ましく、平面格子のサイズにあわせて本数を適宜設定できる。縦の丸棒材１と横の丸棒材２の接合方法は加熱用調理具の熱に耐えられる方法であれば、特に制限されるものではないが、例えば、丸棒材にＳＵＳ３０４を使用した場合などはＴＩＧ溶接など強固に接合されるものが望ましい。
【００２３】  図３は食材保持具の平面格子Ｂ１０２である。平面格子Ｂ１０２は２本の横の丸棒材４と３本以上からなる縦の丸棒材５と、横の丸棒材４と縦の丸棒材５とを接合する接合部６で構成されている。平面格子Ｂ１０２は、平面格子Ａ１０１に組み合わせることから、平面格子Ａ１０１の縦の丸棒材１の内側の寸法（Ｘ２）は、平面格子Ｂ１０２の縦の丸棒材５のうちの両端の丸棒材８の外側の寸法（Ｙ２）よりも長くする必要がある。また、平面格子Ａ１０１の横の丸棒材２のうちの両端の丸棒材７の外側寸法（Ｘ１）は平面格子Ｂ１０２の２本の横の丸棒材４の内側寸法（Ｙ１）よりも短くする必要がある。棒材の熱膨張率を考慮したうえで、Ｙ１はＸ１を、Ｙ２はＸ２を超えない範囲で、できるだけ近似値とする必要がある。これらにより、平面格子Ａ１０１と平面格子Ｂ１０２は組み合わせた際に、互いに縦方向、横方向にずれることな
く、また厚みは略１枚の厚みとすることができる。また，食材平面格子単体での清掃性と組み合わせ時のコンパクトさを両立することができる。なお、平面格子Ｂ１０２の丸棒材の材質、太さなどは平面格子Ａ１０１と同様に特に制限されるものではない。
【符号の説明】１・・・平面格子Ａの縦の丸棒材
２・・・平面格子Ａの横の丸棒材
３・・・平面格子Ａの接合部
４・・・平面格子Ｂの横の丸棒材
５・・・平面格子Ｂの縦の丸棒材
６・・・平面格子Ｂの接合部
７・・・平面格子Ａの両端の横の丸棒材
８・・・平面格子Ｂの両端の縦の丸棒材
１０１・・・平面格子Ａ
１０２・・・平面格子Ｂ
２０１・・・本考案の食材保持具
【手続補正３】
【補正対象書類名】図面
【補正対象項目名】全図
【補正方法】変更
【補正の内容】
【図１】
0003230244.tif 000006
【図２】
0003230244.tif 000007
【図３】
0003230244.tif 000008